Podtech/llm-jp-corpus-v4-ja_patent huggingface dataset:
【誤訳訂正書】
【提出日】平成28年9月12日(2016.9.12)
【誤訳訂正１】
【訂正対象書類名】特許請求の範囲
【訂正対象項目名】全文
【訂正方法】変更
【訂正の内容】
【特許請求の範囲】
【請求項１】
Ｎｅｉｓｓｅｒｉａ  ｍｅｎｉｎｇｉｔｉｄｉｓによって引き起こされる疾患に対して患者を免疫するための組成物であって、該組成物は、（ａ）（ｉ）Ｃ３位とＣ４位とに部分的なＯ−アセチル化を有する、（α１→６）連結型Ｎ−アセチル−Ｄ−マンノサミン−１−リン酸のホモポリマーである血清群ＡのＮ．ｍｅｎｉｎｇｉｔｉｄｉｓの莢膜糖と（ｉｉ）キャリアタンパク質との結合体；（ｂ）（ｉ）シアル酸の７位と８位とに可変のＯ−アセチル化を有する、（α２→９）連結型シアル酸のホモポリマーである血清群ＣのＮ．ｍｅｎｉｎｇｉｔｉｄｉｓの莢膜糖と（ｉｉ）キャリアタンパク質との結合体；（ｃ）（ｉ）シアル酸の７位と９位とに可変のＯ−アセチル化を有する、シアル酸−ガラクトース二糖単位のポリマーである血清群Ｗ１３５のＮ．ｍｅｎｉｎｇｉｔｉｄｉｓの莢膜糖と（ｉｉ）キャリアタンパク質との結合体；および（ｄ）（ｉ）シアル酸の７位と９位とに可変のＯ−アセチル化を有する、シアル酸−グルコース二糖単位のポリマーである血清群ＹのＮ．ｍｅｎｉｎｇｉｔｉｄｉｓの莢膜糖と（ｉｉ）キャリアタンパク質との結合体、を含有し、
ここで、該結合体（ａ）、（ｂ）、（ｃ）および（ｄ）は、同じキャリアタンパク質（「共通キャリア」）を使用し、そして、該組成物は、該共通キャリアを非結合体化形態で、０．０１μｇ／ｍｌより高く、２．０μｇ／ｍｌより低い濃度で含む、組成物。
【請求項２】
前記髄膜炎菌結合体の各々が、ジフテリアトキソイド；破傷風トキソイド；ＣＲＭ１９７；およびＨ．ｉｎｆｌｕｅｎｚａｅ由来のプロテインＤから選択されるキャリアタンパク質に結合体化されている、請求項１に記載の組成物。
【請求項３】
前記キャリアタンパク質が、ジフテリアトキソイドである、請求項２に記載の組成物。
【請求項４】
前記キャリアタンパク質が、Ｈ．ｉｎｆｌｕｅｎｚａｅのプロテインＤである、請求項２に記載の組成物。
【請求項５】
筋肉内注射のために処方されている、請求項１に記載の組成物。
【請求項６】
前記組成物が、水銀物質を全く含まない、請求項１に記載の組成物。
【請求項７】
水性形態である、請求項１に記載の組成物。
【請求項８】
凍結乾燥形態である、請求項１に記載の組成物。
【請求項９】
前記組成物中のキャリアタンパク質の全体での濃度が、１００μｇ／ｍｌ未満である、請求項１に記載の組成物。
【請求項１０】
請求項１に記載の組成物であって、（ｉ）Ｂ型Ｈａｅｍｏｐｈｉｌｕｓ  ｉｎｆｌｕｅｎｚａｅ由来の結合体化された莢膜糖；（ｉｉ）Ｓｔｒｅｐｔｏｃｏｃｃｕｓ  ｐｎｅｕｍｏｎｉａｅ由来の結合体化された莢膜糖；（ｉｉｉ）Ｎ．ｍｅｎｉｎｇｉｔｉｄｉｓ  血清群Ｂ由来のタンパク質抗原；（ｉｖ）ジフテリア抗原；（ｖ）破傷風抗原；（ｖｉ）細胞性百日咳抗原もしくは全細胞百日咳抗原；（ｖｉｉ）１種以上の無細胞百日咳抗原；（ｖｉｉｉ）Ｂ型肝炎ウイルス由来の抗原；（ｉｘ）１種以上のポリオウイルス抗原；（ｘ）Ａ型肝炎ウイルス由来の抗原のうちの１つ以上のさらなる抗原をさらに含有する、組成物。
【請求項１１】
Ｎｅｉｓｓｅｒｉａ  ｍｅｎｉｎｇｉｔｉｄｉｓによって引き起こされる疾患に対して患者を免疫するための組成物を調製するためのプロセスであって、該プロセスは、以下の工程：
（１）（ａ）（ｉ）Ｃ３位とＣ４位とに部分的なＯ−アセチル化を有する、（α１→６）連結型Ｎ−アセチル−Ｄ−マンノサミン−１−リン酸のホモポリマーである血清群ＡのＮ．ｍｅｎｉｎｇｉｔｉｄｉｓの莢膜糖と（ｉｉ）キャリアタンパク質との結合体；（ｂ）（ｉ）シアル酸の７位と８位とに可変のＯ−アセチル化を有する、（α２→９）連結型シアル酸のホモポリマーである血清群ＣのＮ．ｍｅｎｉｎｇｉｔｉｄｉｓの莢膜糖と（ｉｉ）キャリアタンパク質との結合体；（ｃ）（ｉ）シアル酸の７位と９位とに可変のＯ−アセチル化を有する、シアル酸−ガラクトース二糖単位のポリマーである血清群Ｗ１３５のＮ．ｍｅｎｉｎｇｉｔｉｄｉｓの莢膜糖と（ｉｉ）キャリアタンパク質との結合体；（ｄ）（ｉ）シアル酸の７位と９位とに可変のＯ−アセチル化を有する、シアル酸−グルコース二糖単位のポリマーである血清群ＹのＮ．ｍｅｎｉｎｇｉｔｉｄｉｓの莢膜糖と（ｉｉ）キャリアタンパク質との結合体、を調製する工程であって、
ここで、該結合体（ａ）、（ｂ）、（ｃ）および（ｄ）は、同じキャリアタンパク質（「共通キャリア」）を使用する、工程；ならびに
（２）結合体を混合して、該共通キャリアを非結合体化形態で、０．０１μｇ／ｍｌより高く、２．０μｇ／ｍｌより低い濃度で含有する組成物を得る工程
を包含する、プロセス。
【請求項１２】
非結合体化キャリアタンパク質の量を測定する１以上の工程をさらに包含する、請求項１１に記載のプロセス。
【誤訳訂正２】
【訂正対象書類名】明細書
【訂正対象項目名】００２１
【訂正方法】変更
【訂正の内容】
【００２１】
これら４種の血清群の各々の莢膜糖は、良く特徴付けられている。血清群Ａ髄膜炎菌の莢膜糖は、Ｃ３位とＣ４位とに部分的なＯ−アセチル化を有する、（α１→６）連結型Ｎ−アセチル−Ｄ−マンノサミン−１−リン酸のホモポリマーである。このアセチル基は、加水分解を防止するブロック基（ｂｌｏｃｋｉｎｇ  ｇｒｏｕｐ）により置換され得［３０］、そして、このような修飾糖は、依然として本発明の意味の範囲内の血清群Ａ糖である。血清群Ｃの莢膜糖は、（α２→９）連結型シアル酸（Ｎ−アセチルノイラミン酸または「ＮｅｕＮＡｃ」）のホモポリマーである。大半の血清群Ｃ株は、シアル酸残基のＣ−７および／またはＣ−８においてＯ−アセチル基を有するが、臨床単離物のうちの約１５％は、これらのＯ−アセチル基を欠いている［３１、３２］。糖の構造は、→９）−Ｎｅｕ  ｐ  ＮＡｃ  ７／８  ＯＡｃ−（α２→のように記載される。血清群Ｗ１３５糖は、シアル酸−ガラクトース二糖単位のポリマーである。血清群Ｃ糖と同様に、これは種々のＯ−アセチル化を有するが、それはシアル酸の７位と９位におけるものである［３３］。この構造は、→４）−Ｄ−Ｎｅｕｐ５Ａｃ（７／９ＯＡｃ）−α−（２→６）−Ｄ−Ｇａｌ−α−（１→のように記載される。血清群Ｙ糖は、二糖の反復単位がガラクトースの代わりにグルコースを含むことを除いて、血清群Ｗ１３５糖に類似する。血清群Ｗ１３５と同様に、これは、シアル酸の７位と９位における種々のＯ−アセチル化を有する［３３］。血清群Ｙの構造は、→４）−Ｄ−Ｎｅｕｐ５Ａｃ（７／９ＯＡｃ）−α−（２→６）−Ｄ−Ｇｌｃ−α−（１→のように記載される。
【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
一端が昇降路に固定されたトラクションロープが通過する乗りかご下部プーリを備えた乗りかごと、他端が昇降路に固定された前記トラクションロープが通過する釣り合い錘プーリを備えた釣り合い錘と、前記乗りかご下部プーリと前記釣り合い錘プーリの間で前記トラクションロープが通過する前記昇降路に固定された中間プーリと、前記釣り合い錘と前記乗りかごの間で前記トラクションロープが巻き掛けられたシーブ及びこのシーブを回転させる電動機より構成された巻上機とを備えたエレベーター装置において、
少なくとも前記中間プーリ、或いは前記釣り合い錘プーリの角度を前記トラクションロープの張力方向に沿って変えることができる自在継手を前記中間プーリ、或いは前記釣り合い錘プーリに設けたことを特徴とするエレベーター装置。
【請求項２】
請求項１に記載のエレベーター装置において、
前記中間プーリは少なくとも２個備えられており、一方は前記釣り合い錘プーリ側に前記トラクションロープを介して連結され、他方は前記乗りかご下部プーリ側に前記トラクションロープを介して連結され、前記自在継手はどちらかの前記中間プーリ、或いは両方の前記中間プーリに設けられていることを特徴とするエレベーター装置。
【請求項３】
請求項２に記載のエレベーター装置において、
前記自在継手はボールジョイント、スラスト自動調心ころ軸受、ユニバーサルジョイントのいずれかであることを特徴とするエレベーター装置。
【請求項４】
請求項１に記載のエレベーター装置において、
前記自在継手が設けられた前記中間プーリ、或いは前記釣り合い錘プーリは、前記トラクションロープのねじれを所定の角度に制限する揺動角制限機構を備えていることを特徴とするエレベーター装置。
【請求項５】
請求項４に記載のエレベーター装置において、
前記中間プーリ、或いは前記釣り合い錘プーリは、前記自在継手に連結されたプーリ支軸と、このプーリ支軸に取り付けられたプーリ本体を有し、前記揺動角制限機構は前記プーリ本体が前記プーリ支軸を中心として所定の角度以上に回転するのを制限することを特徴とするエレベーター装置。
【手続補正書】
【提出日】平成28年4月18日(2016.4.18)
【手続補正１】
【補正対象書類名】特許請求の範囲
【補正対象項目名】請求項１
【補正方法】変更
【補正の内容】
【請求項１】
多層基板の第１層に複数の電気熱変換素子を配列し、前記複数の電気熱変換素子の配列される位置に対応して前記多層基板の第２層に前記複数の電気熱変換素子の温度を検知する複数の温度検知素子を配列した構成の素子基板と前記素子基板の上にオリフィスプレートとを備える記録ヘッドであって、
前記オリフィスプレートに前記複数の電気熱変換素子それぞれに対応して予め定められた間隔で形成され、前記複数の電気熱変換素子を駆動することで発生する熱によりインクを吐出する複数のノズルと、
前記素子基板に形成される、前記複数のノズルそれぞれにインクを供給するインク供給口とを有し、
前記複数の温度検知素子の少なくとも一部を直列に接続して温度検知素子列を構成し、
前記温度検知素子列の一端が定電流を給電する第１の配線に接続され、前記温度検知素子列の他端が第２の配線に接続されることを特徴とする記録ヘッド。
【手続補正２】
【補正対象書類名】特許請求の範囲
【補正対象項目名】請求項２
【補正方法】変更
【補正の内容】
【請求項２】
前記インク供給口は、
前記複数のノズルそれぞれに個別的にインクを供給する複数の独立インク供給口と、
前記複数の独立インク供給口が連通する共通インク供給口とを有し、
前記オリフィスプレートと前記素子基板との間にあって前記複数の独立インク供給口どうしは連通し、前記連通した部分が前記素子基板の上で梁部を形成し、
前記複数の電気熱変換素子と前記複数の温度検知素子は前記梁部に配置されることを特徴とする請求項１に記載の記録ヘッド。
【手続補正３】
【補正対象書類名】明細書
【補正対象項目名】００１０
【補正方法】変更
【補正の内容】
【００１０】
即ち、多層基板の第１層に複数の電気熱変換素子を配列し、前記複数の電気熱変換素子の配列される位置に対応して前記多層基板の第２層に前記複数の電気熱変換素子の温度を検知する複数の温度検知素子を配列した構成の素子基板と前記素子基板の上にオリフィスプレートとを備える記録ヘッドであって、前記オリフィスプレートに前記複数の電気熱変換素子それぞれに対応して予め定められた間隔で形成され、前記複数の電気熱変換素子を駆動することで発生する熱によりインクを吐出する複数のノズルと、前記素子基板に形成される、前記複数のノズルそれぞれにインクを供給するインク供給口とを有し、前記複数の温度検知素子の少なくとも一部を直列に接続して温度検知素子列を構成し、前記温度検知素子列の一端が定電流を給電する第１の配線に接続され、前記温度検知素子列の他端が第２の配線に接続されることを特徴とする。
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
充填液供給配管に連通する充填液通路が内部に形成されるとともに、下端に吐出口が設けられたバルブハウジングと、前記充填液通路を開閉する液バルブと、この液バルブの開閉手段と、前記バルブハウジングの下方に配置され、容器保持手段によって保持された容器の口部をシールするシール手段と、前記シール手段を昇降させるシール昇降手段とを備えた充填バルブにおいて、
前記シール昇降手段による昇降ストロークを変更する変更手段を設け、容器の形状に応じて前記シール手段の昇降ストロークを変更することを特徴とする充填バルブ。
【請求項２】
前記容器保持手段が、容器の首部を保持することを特徴とする請求項１に記載の充填バルブ。
【請求項３】
前記変更手段が、多段ストロークシリンダであることを特徴とする請求項１または請求項２に記載の充填バルブ。
【請求項４】
前記バルブハウジングの吐出口の周囲と、下方のシール手段との間を連結する弾性部材を設けたことを特徴とする請求項１ないし請求項３のいずれかに記載の充填バルブ。
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
受電装置に無線で電力を供給する無線給電手段と、
前記無線給電手段による第１の受電装置への給電中に、第２の受電装置から給電の要求が発生したことを検知する検知手段と、
前記第２の受電装置から給電の要求が発生したことを前記検知手段が検知した場合に、前記第１の受電装置への給電を停止して前記第２の受電装置への給電を開始するように前記無線給電手段を制御する制御手段と
を備えることを特徴とする給電装置。
【請求項２】
受電装置に無線で電力を供給する無線給電手段と、
前記無線給電手段による第１の受電装置への給電中に、第２の受電装置から給電の要求が発生したことを検知する検知手段と、
前記第２の受電装置から給電の要求が発生したことを前記検知手段が検知した場合に、前記第２の受電装置への給電を開始するか否かを判定する判定手段と、
前記第２の受電装置への給電を開始すると前記判定手段によって判定された場合に、前記第１の受電装置への給電を停止して前記第２の受電装置への給電を開始するように前記無線給電手段を制御する制御手段とを備えることを特徴とする給電装置。
【請求項３】
前記第２の受電装置への給電を開始しないと前記判定手段によって判定された場合に、給電を行わないことを示す通知を前記第２の受電装置に送信する送信手段を更に備えることを特徴とする請求項２に記載の給電装置。
【請求項４】
前記第１の受電装置に設定されている優先度と、前記第２の受電装置に設定されている優先度とに基づいて、前記判定手段は、前記第２の受電装置への給電を開始するか否かを判定することを特徴とする請求項２又は３に記載の給電装置。
【請求項５】
前記第２の受電装置のバッテリーの残容量に基づいて、前記判定手段は、前記第２の受電装置への給電を開始するか否かを判定することを特徴とする請求項２又は３に記載の給電装置。
【請求項６】
前記第２の受電装置のバッテリーの残容量が所定の閾値未満である場合に、前記判定手段は、前記第２の受電装置への給電を開始すると判定することを特徴とする請求項５に記載の給電装置。
【請求項７】
前記無線給電手段による第１の受電装置への給電中に、前記給電装置は、給電が必要であるか否かを周囲の受電装置に問い合わせ、
前記検知手段は、問い合わせに対する前記第２の受電装置の応答に基づいて、前記第２の受電装置から給電の要求が発生したことを検知することを特徴とする請求項１乃至６のいずれか１項に記載の給電装置。
【請求項８】
受電装置に無線で電力を供給する無線給電手段を備える給電装置の制御方法であって、
前記無線給電手段による第１の受電装置への給電中に、第２の受電装置から給電の要求が発生したことを検知する検知ステップと、
前記第２の受電装置から給電の要求が発生したことを前記検知ステップで検知した場合に、前記第１の受電装置への給電を停止して前記第２の受電装置への給電を開始するように前記無線給電手段を制御する制御ステップと
を有することを特徴とする給電装置の制御方法。
【請求項９】
受電装置に無線で電力を供給する無線給電手段を備える給電装置の制御方法であって、
前記無線給電手段による第１の受電装置への給電中に、第２の受電装置から給電の要求が発生したことを検知する検知ステップと、
前記第２の受電装置から給電の要求が発生したことを前記検知ステップで検知した場合に、前記第２の受電装置への給電を開始するか否かを判定する判定ステップと、
前記第２の受電装置への給電を開始すると前記判定ステップで判定された場合に、前記第１の受電装置への給電を停止して前記第２の受電装置への給電を開始するように前記無線給電手段を制御する制御ステップとを有することを特徴とする給電装置の制御方法。
【請求項１０】
請求項８又は９に記載の給電装置の制御方法をコンピュータに実行させるためのプログラム。
【手続補正２】
【補正対象書類名】明細書
【補正対象項目名】発明の名称
【補正方法】変更
【補正の内容】
【発明の名称】給電装置、制御方法及びプログラム
【手続補正３】
【補正対象書類名】明細書
【補正対象項目名】０００１
【補正方法】変更
【補正の内容】
【０００１】
本発明は、給電装置、制御方法及びプログラムに関する。
【手続補正４】
【補正対象書類名】明細書
【補正対象項目名】０００７
【補正方法】変更
【補正の内容】
【０００７】
そこで、本発明は、給電装置であって、受電装置に無線で電力を供給する無線給電手段と、前記無線給電手段による第１の受電装置への給電中に、第２の受電装置から給電の要求が発生したことを検知する検知手段と、前記第２の受電装置から給電の要求が発生したことを前記検知手段が検知した場合に、前記第１の受電装置への給電を停止して前記第２の受電装置への給電を開始するように前記無線給電手段を制御する制御手段とを備えることを特徴とする。
【手続補正書】
【提出日】平成28年2月17日(2016.2.17)
【手続補正１】
【補正対象書類名】特許請求の範囲
【補正対象項目名】全文
【補正方法】変更
【補正の内容】
【特許請求の範囲】
【請求項１】
直流電圧を平滑化するコンデンサと、
平滑化された直流電圧を交流電圧に変換するパワーモジュールと、
ハーネスを接続するためのコネクタを有し、各種入力信号に基づいて制御パルスを出力する制御基板と、
ハーネスを接続するためのコネクタを有し、制御パルスに基づいてパワーモジュールに駆動パルスを出力するパワーモジュール基板と、
一端が制御基板のコネクタに接続され、他端がパワーモジュール基板のコネクタに接続され、制御基板とパワーモジュール基板とを電気的に接続するハーネスと、
前記コンデンサ，パワーモジュール，制御基板，パワーモジュール基板，ハーネスを収納するケースおよびカバーと、を備え、
ケースとカバー間の収納空間が一体空間で形成され、パワーモジュール基板と制御基板は、ケースとカバー内の一体空間に収納され、
ケースとカバーの分割位置が制御基板のコネクタおよびパワーモジュール基板のコネクタよりも、ケースの底壁側に位置することを特徴とする車載用電力変換装置。
【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
可撓性材料で構成されたカーテンフック本体と、
前記カーテンフック本体の底部の一方の側面からＵ字状に曲げられて設けられた表地カーテン差込部と、
前記カーテンフック本体に設けられたラチェット部と、
前記ラチェット部に滑動・固定可能に係止される可撓性材料で構成され、ラチェット係合用の爪部を有するラチェット係合用ボックスと前記ラチェット係合ボックス上に設けられたフックとからなるランナー掛け用のフック部と、
からなり、前記カーテンフック本体の底部の他方の側面に裏地カーテン係止用の第２の差込部が固定して設けられたカーテン用アジャスターフックにおいて、
前記本体のラチェット部が設けられた側面の底部側に、前記ランナー掛け用のフックの取り外し機構が設けられ、
前記ランナー掛け用のフックの取り外し機構が前記ラチェット部と前記カーテンフックの底部との間に設けられた少なくとも前記ラチェット係合用ボックスの高さ以上の長さを有する溝部であり、前記ランナー掛け用のフック部を前記溝部に位置した際に前記裏地カーテンの差込部側に前記フック部を引っ張ることにより前記フック部を外せるように構成したことを特徴とするカーテン用アジャスターフック。
【請求項２】
可撓性材料で構成されたカーテンフック本体と、
前記カーテンフック本体の底部の一方の側面からＵ字状に曲げられて設けられた表地カーテン差込部と、
前記カーテンフック本体に設けられたラチェット部と、
前記ラチェット部に滑動・固定可能に係止される可撓性材料で構成され、ラチェット係合用の爪部を有するラチェット係合用ボックスと前記ラチェット係合ボックス上に設けられたフックとからなるランナー掛け用のフック部と、
からなるカーテン用アジャスターフックにおいて、
前記フック部と対向するように前記ラチェット部に滑動・固定可能に係止される可撓性材料で構成され、ラチェット係合用の爪部を有するラチェット係合用ボックスと前記ラチェット係合ボックス上に設けられたフックとからなる裏地カーテン差込用の第２のフック部が設けられていることを特徴とするカーテン用アジャスターフック。
【請求項３】
表地カーテンと、裏地カーテンと前記表地カーテンと前記裏地カーテンの頂部に所定間隔で取り付けられた請求項１または請求項２に記載のカーテン用アジャスターフックにより前記表地カーテンと裏地カーテンとが一体化されていることを特徴とするカーテンセット。
【請求項４】
前記裏地カーテンが、遮光性カーテン、遮音性カーテン、微粒子吸着用カーテンからなる群から選択された少なくとも１種の機能を有する機能性カーテンであることを特徴とする請求項３に記載のカーテンセット。
【請求項５】
前記裏地カーテンが使い捨てカーテンであることを特徴とする請求項３または請求項４に記載のカーテンセット。
【手続補正２】
【補正対象書類名】明細書
【補正対象項目名】００１１
【補正方法】変更
【補正の内容】
【００１１】  本発明の他の課題は、次の各項目に関する。
１  可撓性材料で構成されたカーテンフック本体と、
前記カーテンフック本体の底部の一方の側面からＵ字状に曲げられて設けられた表地カーテン差込部と、
前記カーテンフック本体に設けられたラチェット部と、
前記ラチェット部に滑動・固定可能に係止される可撓性材料で構成され、ラチェット係合用の爪部を有するラチェット係合用ボックスと前記ラチェット係合ボックス上に設けられたフックとからなるランナー掛け用のフック部と、
からなり、前記カーテンフック本体の底部の他方の側面に裏地カーテン係止用の第２の差込部が固定して設けられたカーテン用アジャスターフックにおいて、
前記本体のラチェット部が設けられた側面の底部側に、前記ランナー掛け用のフックの取り外し機構が設けられ、
前記ランナー掛け用のフックの取り外し機構が前記ラチェット部と前記カーテンフックの底部との間に設けられた少なくとも前記ラチェット係合用ボックスの高さ以上の長さを有する溝部であり、前記ランナー掛け用のフック部を前記溝部に位置した際に前記裏地カーテンの差込部側に前記フック部を引っ張ることにより前記フック部を外せるように構成したことを特徴とするカーテン用アジャスターフック。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】２  可撓性材料で構成されたカーテンフック本体と、
前記カーテンフック本体の底部の一方の側面からＵ字状に曲げられて設けられた表地カーテン差込部と、
前記カーテンフック本体に設けられたラチェット部と、
前記ラチェット部に滑動・固定可能に係止される可撓性材料で構成され、ラチェット係合用の爪部を有するラチェット係合用ボックスと前記ラチェット係合ボックス上に設けられたフックとからなるランナー掛け用のフック部と、
からなるカーテン用アジャスターフックにおいて、
前記フック部と対向するように前記ラチェット部に滑動・固定可能に係止される可撓性材料で構成され、ラチェット係合用の爪部を有するラチェット係合用ボックスと前記ラチェット係合ボックス上に設けられたフックとからなる裏地カーテン差込用のフック部が設けられていることを特徴とするカーテン用アジャスターフック。
【手続補正６】
【補正対象書類名】明細書
【補正対象項目名】００１５
【補正方法】変更
【補正の内容】
【００１５】３  表地カーテンと、裏地カーテンと前記表地カーテンと前記裏地カーテンの頂部に所定間隔で取り付けられた１から４に記載のカーテン用アジャスターフックにより前記表地カーテンと裏地カーテンとが一体化されていることを特徴とするカーテンセット。
【手続補正７】
【補正対象書類名】明細書
【補正対象項目名】００１６
【補正方法】変更
【補正の内容】
【００１６】４  前記裏地カーテンが、遮光性カーテン、遮音性カーテン、微粒子吸着用カーテンからなる群から選択された少なくとも１種の機能を有する機能性カーテンであることを特徴とする３に記載のカーテンセット。
【手続補正８】
【補正対象書類名】明細書
【補正対象項目名】００１７
【補正方法】変更
【補正の内容】
【００１７】５  前記裏地カーテンが使い捨てカーテンであることを特徴とする３または４に記載のカーテンセット。
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
遊技媒体を用いて遊技が行われる遊技機であって、
当該遊技機の前面部を構成する前面扉と、
前記前面扉に設けられ、遊技者操作を受付可能な操作受付手段と、
前記前面扉に設けられ、通常状態と、移動状態とに変化可能な可動手段と、
を備え、
前記可動手段は、前記通常状態から前記移動状態に変化することによって、前記操作受付手段に対する遊技者操作を誘導しうる
ことを特徴とする遊技機。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
しかしながら、特許文献１に記載の遊技機のような遊技者参加型演出は周知であり、同様の構成では、遊技興趣の低下を招く虞がある。
【手続補正５】
【補正対象書類名】明細書
【補正対象項目名】０００７
【補正方法】変更
【補正の内容】
【０００７】
そこで、本発明は、このような事情に鑑みてなされたものであり、その目的は、遊技興趣の低下を抑制することができる遊技機を提供することにある。
【手続補正６】
【補正対象書類名】明細書
【補正対象項目名】０００８
【補正方法】変更
【補正の内容】
【０００８】
請求項１に係る遊技機は、
遊技媒体を用いて遊技が行われる遊技機であって、
当該遊技機の前面部を構成する前面扉と、
前記前面扉に設けられ、遊技者操作を受付可能な操作受付手段と、
前記前面扉に設けられ、通常状態と、移動状態とに変化可能な可動手段と、
を備え、
前記可動手段は、前記通常状態から前記移動状態に変化することによって、前記操作受付手段に対する遊技者操作を誘導しうる
ことを特徴とする。
また、本発明とは別の発明として以下の手段としてもよい。
手段１： 
遊技者の操作によって遊技媒体が打込まれる遊技領域を有した遊技盤と、
該遊技盤を前側から脱着可能に支持する本体枠と、
扉枠と、
を備え、
前記遊技盤は、複数の装飾図柄を変動させた後に停止表示すると共に所定の演出画像を表示する演出表示装置を備え、
前記扉枠は、前記本体枠の前面に対して開閉可能に支持されると共に閉鎖した時に該本体枠に支持された前記遊技盤の少なくとも前記遊技領域が遊技者側へ臨む遊技窓を有した扉枠ベースと、
前記扉枠ベースの前面且つ前記遊技窓より下側に配置され、前方へ膨出すると共に前記遊技領域内へ打込むための遊技媒体を貯留可能な貯留部を有する皿ユニットと、
前記皿ユニットに配置され、遊技者が操作可能な接触型入力装置と、
前記接触型入力装置の近くに配置される操作指示部材と、を備え、
操作指示部材は、その動きによって遊技者に、前記接触型入力装置が操作可能であることを報知することを特徴とした遊技機、とする。
【手続補正７】
【補正対象書類名】明細書
【補正対象項目名】００１２
【補正方法】変更
【補正の内容】
【００１２】
請求項１に係る遊技機によれば、遊技興趣の低下を抑制することが可能となる。
【手続補正書】
【提出日】平成28年3月18日(2016.3.18)
【手続補正１】
【補正対象書類名】明細書
【補正対象項目名】００４１
【補正方法】変更
【補正の内容】
【００４１】
制御部１１０は、上記クロック信号に基づいて動作するＣＰＵ（Central Processing Unit；中央演算処理装置）を含み、メモリ１２０に記憶された活動量計１００を制御するためのプログラムに従って、加速度センサ１１２からの検知信号に基づいて、この活動量計１００の各部（メモリ１２０、表示部１４０およびＢＬＥ通信部１８０を含む。）を制御する。この制御部１１０は、少なくとも、上下軸加速度、左右軸加速度、および、前後軸加速度の少なくともいずれかの時系列データを処理することができる信号処理系を含む。制御部１１０は、以下で詳細に説明する評価部、および、エラー判断部として動作することができる。
【手続補正２】
【補正対象書類名】明細書
【補正対象項目名】００４４
【補正方法】変更
【補正の内容】
【００４４】
電源部１９０は、この例ではボタン電池からなり、この活動量計１００の各部へ電力を供給する。
【手続補正３】
【補正対象書類名】明細書
【補正対象項目名】００４５
【補正方法】変更
【補正の内容】
【００４５】
ＢＬＥ通信部１８０は、スマートフォン２００との間でリアルタイムで通信を行う。例えば、スマートフォン２００へ測定結果を表す情報などを送信する。また、スマートフォン２００から操作指示を受信する。ＢＬＥ通信部１８０は、ＢＬＥ機能を備えたモジュールチップでよい。
【手続補正４】
【補正対象書類名】明細書
【補正対象項目名】００８３
【補正方法】変更
【補正の内容】
【００８３】
図８を参照し、歩行姿勢の推定（重心の位置の推定）の方法について説明する。図８（Ａ）、図８（Ｂ）、および、図８（Ｃ）は、ヒトの歩行中の姿勢（前脚の踵が接地したタイミング）を示す図である。図８（Ａ）は、歩行中の重心位置が前寄りの位置にあるヒトを横から見たときの模式図であり、図８（Ｂ）は、歩行中の重心位置が中央付近にあるヒトを横から見たときの模式図であり、図８（Ｃ）は、歩行中の重心位置が後寄りの位置にあるヒトを横から見たときの模式図である。
【手続補正５】
【補正対象書類名】明細書
【補正対象項目名】００８４
【補正方法】変更
【補正の内容】
【００８４】
図８（Ｄ）、図８（Ｅ）、および、図８（Ｆ）は、前脚の踵が接地したタイミングから遊脚である後脚が進行方向に関して立脚である前脚と一致するタイミングまでの期間において加速度センサが出力する上下軸加速度の時間変化波形の典型例を示す図である。図８（Ｄ）は、重心位置が前寄りの位置にあるヒト（図８（Ａ））の上下軸加速度時間変化波形の典型例であり、図８（Ｅ）は、重心位置が中央付近にあるヒト（図８（Ｂ））の上下軸加速度時間変化波形の典型例であり、図８（Ｆ）は、重心位置が後寄りの位置にあるヒト（図８（Ｃ））の上下軸加速度時間変化波形の典型例である。
【手続補正６】
【補正対象書類名】明細書
【補正対象項目名】００８５
【補正方法】変更
【補正の内容】
【００８５】
図８（Ｄ）、図８（Ｅ）、および、図８（Ｆ）を比較すればわかるように、重心位置を前寄りに偏らせて歩行するヒトの上下軸加速度の時間変化波形（図８（Ｄ））においては、重心位置を身体の中心部に近い領域に置いて歩行するヒトの上下軸加速度の時間変化波形（図８（Ｅ））との比較において、（負から正へ転じるゼロクロス点を始期とする）一基準期間において最初に現れる極大点の値ＺＡＰ１が小さくなり、３番目に現れる極大点の値ＺＡＰ３が大きくなる傾向がある。これらの傾向は、重心の前方向への偏りの程度が強くなるにつれ、より顕著になる。
【手続補正７】
【補正対象書類名】明細書
【補正対象項目名】００８６
【補正方法】変更
【補正の内容】
【００８６】
逆に、重心位置を後寄りに偏らせて歩行するヒトの上下軸加速度の時間変化波形（図８（Ｆ））においては、重心位置を身体の中心部に近い領域に置いて歩行するヒトの上下軸加速度の時間変化波形（図８（Ｅ））との比較において、（負から正へ転じるゼロクロス点を始期とする）一基準期間において最初に現れる極大点の値ＺＡＰ１が大きくなり、３番目に現れる極大点の値ＺＡＰ３が小さくなる傾向がある。これらの傾向は、重心の後方向への偏りの程度が強くなるにつれ、より顕著になる。
【手続補正８】
【補正対象書類名】明細書
【補正対象項目名】０１０９
【補正方法】変更
【補正の内容】
【０１０９】
例えば、本発明の歩行姿勢計を、スマートフォン２００のみで構成しても良い。その場合、スマートフォン２００が加速度センサを含むものとする。また、スマートフォン２００のメモリ２２０には、制御部２１０に、ヒトの歩行姿勢が正しい姿勢であるか否かを定量的に評価するプログラム、より詳しくは、日常生活での歩行姿勢の良否の時間的な推移を評価するプログラムをインストールする。これにより、本発明の歩行姿勢計を小型かつコンパクトに構成することができる。
【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
Ｘ線を発生するＸ線源及び被検体を透過したＸ線を検出するＸ線検出器を回転可能なアームにて保持し、前記Ｘ線源及び前記Ｘ線検出器を結ぶ投影方向のＸ線画像を生成するための撮影部と、
前記撮影部を制御して、被検体に挿入された穿刺針の軸方向に対し所定角度だけ前記投影方向が傾いたＸ線画像を生成させる撮影制御部と、
前記撮影制御部が前記撮影部に生成させたＸ線画像に描出された前記穿刺針のうち被検体内に位置する部分の長さを計測する計測部と、
前記計測部が計測した長さと前記所定角度とに基づいて被検体内に挿入されている前記穿刺針の実際の長さを算出する穿刺量算出部と、
前記穿刺量算出部による算出の結果を報知する穿刺量報知部と、
を備えるＸ線診断装置。
【請求項２】
予め被検体の体表において設定された前記穿刺針の挿入目標位置を表す第１のマーカと、予め被検体内において設定された前記穿刺針の到達目標位置を表す第２のマーカとを含む被検体のモデル画像を表示する表示部をさらに備え、
前記穿刺量報知部は、前記穿刺量算出部が算出した長さに応じた穿刺針のモデルを前記第１のマーカを起点として前記モデル画像に配置することで当該長さを報知する、
請求項１に記載のＸ線診断装置。
【請求項３】
予め被検体の体表において設定された前記穿刺針の挿入目標位置と予め前記被検体内において設定された前記穿刺針の到達目標位置とを結ぶプランニング方向と、前記被検体に挿入された前記穿刺針の軸方向とが成す角度を検出する検出部と、
前記検出部が検出した角度に基づいて前記穿刺針の到達予定位置を算出する予定位置算出部と、
前記到達予定位置を報知する予定位置報知部と、
を備える請求項１に記載のＸ線診断装置。
【請求項４】
予め被検体の体表において設定された前記穿刺針の挿入目標位置を表す第１のマーカと、予め前記被検体内において設定された前記穿刺針の到達目標位置を表す第２のマーカとを含む前記被検体のモデル画像を表示する表示部をさらに備え、
前記予定位置報知部は、前記到達予定位置を表す第３のマーカを前記モデル画像に配置することで前記到達予定位置を報知する、
請求項３に記載のＸ線診断装置。
【請求項５】
前記到達予定位置と前記到達目標位置とのギャップを算出するギャップ算出部と、
前記ギャップが予め定められた閾値以上である場合に警告を発する警告部と、
を備える請求項３又は４に記載のＸ線診断装置。
【手続補正２】
【補正対象書類名】明細書
【補正対象項目名】０００６
【補正方法】変更
【補正の内容】
【０００６】
一実施形態に係るＸ線診断装置は、撮影部と、撮影制御部と、計測部と、穿刺量算出部と、穿刺量報知部とを備える。上記撮影部は、Ｘ線を発生するＸ線源及び被検体を透過したＸ線を検出するＸ線検出器を回転可能なアームにて保持し、上記Ｘ線源及び上記Ｘ線検出器を結ぶ投影方向のＸ線画像を生成する。上記撮影制御部は、上記撮影部を制御して、被検体に挿入された穿刺針の軸方向に対し所定角度だけ上記投影方向が傾いたＸ線画像を生成させる。上記計測部は、上記撮影制御部が上記撮影部に生成させたＸ線画像に描出された上記穿刺針のうち被検体内に位置する部分の長さを計測する。上記穿刺量算出部は、上記計測部が計測した長さと上記所定角度とに基づいて被検体内に挿入されている上記穿刺針の実際の長さを算出する。上記穿刺量報知部は、上記穿刺量算出部が算出した結果を報知する。
【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームが開始可能となるとともに、各々が識別可能な複数種類の識別情報を変動表示可能な可変表示装置に表示結果が導出されることにより１ゲームが終了し、該可変表示装置に導出された表示結果に応じて入賞が発生可能とされたスロットマシンであって、
遊技の制御を行う遊技制御手段と、
前記遊技制御手段から送信された制御情報に基づいて演出の制御を行う演出制御手段と、
遊技者による操作が不能とされ、遊技場の店員による操作が可能とされた特定操作手段と、
を備え、
前記遊技制御手段と、前記演出制御手段と、は前記遊技制御手段から前記演出制御手段への一方向通信のみ可能に接続されており、
前記遊技制御手段は、
遊技に関連する遊技データを記憶する遊技データ記憶手段と、
前記特定操作手段が操作されたときに、前記遊技データ記憶手段に記憶されている前記遊技データに基づいて、前記遊技用価値の増減率が予め定められた設計値に基づく増減率が担保される正常状態であるか否かを特定可能な状態特定情報を前記制御情報として前記演出制御手段に対して送信する状態特定情報送信手段と、
を含み、
前記演出制御手段は、
遊技者にとって有利な有利情報を報知する有利情報報知手段と、
前記有利情報報知手段に関連する決定を行う有利情報関連決定手段と、
を含み、
前記有利情報関連決定手段は、前記状態特定情報から前記正常状態である旨が特定されたときに、該有利情報関連決定手段が決定を行うときに用いる決定用データとして正常時データを用いて前記有利情報報知手段に関連する決定を行い、前記正常状態ではない旨が特定されたときに前記決定用データとして前記正常時データとは異なる非正常時データを用いて前記有利情報報知手段に関連する決定を行う
ことを特徴とするスロットマシン。
【手続補正２】
【補正対象書類名】明細書
【補正対象項目名】０００７
【補正方法】変更
【補正の内容】
【０００７】
上記課題を解決するために、本発明の請求項１に記載のスロットマシンは、
遊技用価値を用いて１ゲームに対して所定数の賭数を設定することによりゲームが開始可能となるとともに、各々が識別可能な複数種類の図柄を変動表示可能な可変表示装置（リール２Ｌ、２Ｃ、２Ｒ）に表示結果が導出されることにより１ゲームが終了し、該可変表示装置に導出された表示結果に応じて入賞が発生可能とされたスロットマシン（スロットマシン１）であって、
遊技の制御を行う遊技制御手段（メイン制御部４１）と、
前記遊技制御手段（メイン制御部４１）から送信された制御情報（コマンド）に基づいて演出の制御を行う演出制御手段（サブ制御部９１）と、
遊技者による操作が不能とされ、遊技場の店員による操作が可能とされた特定操作手段（設定キースイッチ３７）と、
を備え、
前記遊技制御手段（メイン制御部４１）と、前記演出制御手段（サブ制御部９１）と、は前記遊技制御手段（メイン制御部４１）から前記演出制御手段（サブ制御部９１）への一方向通信のみ可能に接続されており、
前記遊技制御手段（メイン制御部４１）は、
遊技に関連する遊技データ（遊技状態）を記憶する遊技データ記憶手段（ＲＡＭ４１ｃ）と、
前記特定操作手段（設定キースイッチ３７）が操作されたときに、前記遊技データ記憶手段（ＲＡＭ４１ｃ）に記憶されている前記遊技データ（遊技状態）に基づいて、前記遊技用価値の増減率（メダル払出率）が予め定められた設計値に基づく増減率が担保される正常状態（内部中）であるか否かを特定可能な状態特定情報（設定終了時に送信される設定コマンド）を前記制御情報として前記演出制御手段（サブ制御部９１）に対して送信する状態特定情報送信手段（設定コマンドの送信）と、
を含み、
前記演出制御手段（サブ制御部９１）は、
遊技者にとって有利な有利情報（中段ベルを入賞させる停止順）を報知する有利情報報知手段（ナビ演出）と、
前記有利情報報知手段（ナビ演出）に関連する決定を行う有利情報関連決定手段（ナビストック抽選、上乗せ抽選）と、
を含み、
前記有利情報関連決定手段は、前記状態特定情報（設定終了時の設定コマンド）から前記正常状態（内部中）である旨が特定されたときに、該有利情報関連決定手段（ナビストック抽選、上乗せ抽選）が決定を行うときに用いる決定用データとして正常時データ（ナビストック抽選確率Ａ、上乗せ抽選確率Ａ）を用いて前記有利情報報知手段に関連する決定を行い、前記正常状態（内部中）ではない旨が特定されたときに前記決定用データとして前記正常時データとは異なる非正常時データ（ナビストック抽選確率Ｂ、上乗せ抽選確率Ｂ）を用いて前記有利情報報知手段（ナビ演出）に関連する決定を行う
ことを特徴としている。
この特徴によれば、遊技制御手段側で遊技場の店員により特定操作手段が操作された場合に、遊技データに基づいて予め定められた設計値に基づく遊技用価値の増減率が担保される正常状態であるか否かを特定可能な状態特定情報が演出制御手段に送信されるようになっており、演出制御手段が状態特定情報から正常状態である旨を特定した場合のみ、正常時データを用いて有利情報関連決定手段による決定が行われる一方、状態特定情報から正常状態でない旨を特定した場合には、非正常時データを用いて有利情報関連決定手段による決定が行われることとなり、遊技制御手段側が正常状態でないにも関わらず、正常時データを用いて有利情報関連決定手段による決定が行われることで、設計値に基づく遊技用価値の増減率が担保できなくなってしまうことを防止できる。
【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
前記有利状態に制御するか否かを決定する決定手段と、
前記決定手段による決定前に、前記有利状態に制御されるか否かを判定する判定手段と、
前記判定手段の判定結果にもとづいて、当該判定の対象となった可変表示が開始される前の複数回の可変表示において予告演出を実行する予告演出実行手段とを備え、
前記予告演出実行手段は、
複数回の可変表示において、第１予告演出を実行するパターンと、当該第１予告演出よりも前記有利状態に制御される割合が高い第２予告演出を実行するパターンと、前記第１予告演出を実行した後に前記第２予告演出を実行するパターンとのいずれかのパターンにより前記予告演出を実行可能であり、
演出態様に応じて、前記第１予告演出を実行した後に前記第２予告演出を実行するパターンにより前記予告演出が実行される割合が異なるように、前記予告演出を実行し、
前記第１予告演出を実行した後に前記第２予告演出を実行するパターンとして、第１態様の前記第１予告演出を実行した後に第２態様の前記第１予告演出を実行し、該第２態様の前記第１予告演出を実行した後に前記第２予告演出を実行可能である
ことを特徴とする遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能なパチンコ遊技機等の遊技機に関する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明は、好適な遊技機を提供することを目的とする。
【手続補正５】
【補正対象書類名】明細書
【補正対象項目名】００１０
【補正方法】変更
【補正の内容】
【００１０】
（手段Ａ）本発明による遊技機は、可変表示を行い、遊技者にとって有利な有利状態に制御可能な遊技機であって、有利状態に制御するか否かを決定する決定手段と、決定手段による決定前に、有利状態に制御されるか否かを判定する判定手段と、判定手段の判定結果にもとづいて、当該判定の対象となった可変表示が開始される前の複数回の可変表示において予告演出を実行する予告演出実行手段とを備え、予告演出実行手段は、複数回の可変表示において、第１予告演出を実行するパターンと、当該第１予告演出よりも有利状態に制御される割合が高い第２予告演出を実行するパターンと、第１予告演出を実行した後に第２予告演出を実行するパターンとのいずれかのパターンにより予告演出を実行可能であり、演出態様に応じて、第１予告演出を実行した後に第２予告演出を実行するパターンにより予告演出が実行される割合が異なるように、予告演出を実行し、第１予告演出を実行した後に第２予告演出を実行するパターンとして、第１態様の第１予告演出を実行した後に第２態様の第１予告演出を実行し、該第２態様の第１予告演出を実行した後に第２予告演出を実行可能であることを特徴とする。
（手段１）本発明による他の遊技機は、所定の遊技を行うことが可能な遊技機であって、遊技の進行を制御する遊技制御用マイクロコンピュータ（例えば、遊技制御用マイクロコンピュータ５６０）と、所定事象が発生（例えば、ＩＡＴ回路５０６ａからのＩＡＴ信号の入力、ウオッチドッグタイマ（ＷＤＴ）５０６ｂからのタイムアウト信号の入力）したことにもとづいて第１リセット（例えば、システムリセット）を発生させるか第２リセット（例えば、ユーザリセット）を発生させるかを設定可能な設定手段（例えば、遊技制御用マイクロコンピュータ５６０におけるプログラム管理エリアの図１２に示すリセット設定（ＫＲＥＳ）のビット７の設定値に従ってステップＳ１００１，Ｓ１０１１を実行する部分）とを備え、第１リセットの発生後にはセキュリティチェックを実行する一方、第２リセットの発生後にはセキュリティチェックを実行せず（例えば、遊技制御用マイクロコンピュータ５６０は、図４６（Ａ）に示すように、ステップＳ１００４の後にはステップＳ１００６でセキュリティチェックを実行し、図４６（Ｂ）に示すように、ステップＳ１０１４の後にはセキュリティチェックを実行しない）、遊技制御用マイクロコンピュータは、遊技機への電力供給が停止していても、遊技に関する制御を行う際に発生する情報を所定期間保持可能な記憶手段（例えば、ＲＡＭ５５（バックアップＲＡＭ））と、特定値（例えば、Ｆ０Ｈ）を格納する格納手段（例えば、Ｑレジスタ）と、制御命令に従って遊技の進行を制御する制御用ＣＰＵ（例えば、ＣＰＵ５６）と、所定の処理（例えば、メイン処理におけるループ処理、タイマ割込処理）を実行可能な所定処理実行手段（例えば、遊技制御用マイクロコンピュータ５６０におけるステップＳ１６〜Ｓ１９，Ｓ２０〜Ｓ３４を実行する部分）と、所定の処理の実行中に所定事象が発生したときに記憶手段の記憶内容を初期化する初期化手段（例えば、遊技制御用マイクロコンピュータ５６０において、ステップＳ１６〜Ｓ１９，Ｓ２０〜Ｓ３４の実行中にＩＡＴ回路５０６ａからのＩＡＴ信号やウオッチドッグタイマ（ＷＤＴ）５０６ｂからのタイムアウト信号を入力したときには、図５０および図５１に示す電源断処理を実行することなく、リセット後にメイン処理が開始されたときにステップＳ１０〜Ｓ１３を実行する部分）とを含み、制御用ＣＰＵは、第１情報（例えば、データ格納領域の上位アドレス）と第２情報（例えば、データ格納領域の下位アドレス）とにもとづいて、読み出し対象のデータが格納された領域に対応するアドレスを特定し、特定したアドレスに対応する領域から読み出し対象のデータを読み出し、読み出し対象のデータを読み出すときに、格納手段に格納された特定値にもとづいて第１情報を特定するとともに、制御命令で指定された第２情報を特定する（例えば、ＣＰＵ５６は、図４７に示すように、Ｑレジスタに設定されたＦ０Ｈと、ＬＤＱコマンドで指定された２０Ｈとにもとづいて、データ格納領域のアドレスＦ０２０Ｈを特定し、アドレスＦ０２０Ｈに対応するデータ格納領域からデータａを抽出する）ことを特徴とする。そのような構成により、遊技制御用マイクロコンピュータに関するセキュリティ性を向上させることができる。
【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
開始条件が成立したことにもとづいて可変表示を行い、可変表示の表示結果が特定表示結果になったときに遊技者にとって有利な有利状態に制御可能な遊技機であって、
前記開始条件が成立していない可変表示に関する情報を保留記憶として記憶する保留記憶手段と、
保留記憶の数に応じた保留表示を表示部に表示する保留表示手段と、
可変表示を開始するときに、当該可変表示に対応する保留表示を特定表示として所定領域に表示する特定表示手段と、
可変表示の実行中に、可変表示の表示結果が前記特定表示結果になるか否かに応じて、前記所定領域に表示されている特定表示の態様を特定態様に変化させる特定表示変化手段とを備え、
前記特定表示変化手段は、可変表示が開始される前の保留表示の態様に応じて、当該可変表示に対応する特定表示の態様を異なる割合で変化させ、
前記特定表示変化手段が特定表示の態様を前記特定態様に変化させるときと、前記保留表示手段が保留表示の態様を前記特定態様に変化させるときとで、可変表示の表示結果が前記特定表示結果になる割合が異なる
ことを特徴とする遊技機。
【手続補正２】
【補正対象書類名】明細書
【補正対象項目名】０００１
【補正方法】変更
【補正の内容】
【０００１】
本発明は、開始条件が成立したことにもとづいて可変表示を行い、可変表示の表示結果が特定表示結果になったときに遊技者にとって有利な有利状態に制御可能なパチンコ遊技機等の遊技機に関する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
本発明は、遊技の興趣をより向上させることができる遊技機を提供することを目的とする。
【手続補正５】
【補正対象書類名】明細書
【補正対象項目名】０００９
【補正方法】変更
【補正の内容】
【０００９】
（Ａ）本発明による遊技機は、開始条件（例えば、第１特別図柄および第２特別図柄のいずれの可変表示も実行されていない状態で、かつ、大当り遊技状態でもないこと）が成立したことにもとづいて可変表示を行い、可変表示の表示結果が特定表示結果（例えば、大当り図柄）になったときに遊技者にとって有利な有利状態（例えば、大当り遊技状態）に制御可能な遊技機であって、開始条件が成立していない可変表示に関する情報を保留記憶として記憶する保留記憶手段（例えば、第１保留記憶バッファ、第２保留記憶バッファ）と、保留記憶の数に応じた保留表示を表示部（例えば、演出表示装置）に表示する保留表示手段（例えば、演出制御用マイクロコンピュータ１００において、ステップＳ６００６，Ｓ６００８，Ｓ６０１６，Ｓ６０１７の処理を実行する部分）と、可変表示を開始するときに、当該可変表示に対応する保留表示を特定表示として所定領域（例えば、保留ボックス９Ｆ）に表示する特定表示手段（例えば、演出制御用マイクロコンピュータ１００において、ステップＳ８１８の処理を実行する部分）と、可変表示の実行中に、可変表示の表示結果が特定表示結果になるか否かに応じて、所定領域に表示されている特定表示の態様を特定態様（例えば、「赤」）に変化させる特定表示変化手段（例えば、演出制御用マイクロコンピュータ１００において、ステップＳ８４４，Ｓ８４５，Ｓ８４６，Ｓ８４７の処理を実行する部分）とを備え、特定表示変化手段は、可変表示が開始される前の保留表示の態様に応じて、当該可変表示に対応する特定表示の態様を異なる割合で変化させ、特定表示変化手段が特定表示の態様を特定態様に変化させるときと、保留表示手段が保留表示の態様を特定態様に変化させるときとで、可変表示の表示結果が特定表示結果になる割合が異なることを特徴とする。
（１）本発明による他の遊技機は、遊技媒体（例えば、遊技球）が始動領域（例えば、第１始動入賞口１３、第２始動入賞口１４）を通過した後に、可変表示の開始条件（例えば、第１特別図柄および第２特別図柄のいずれの可変表示も実行されていない状態で、かつ、大当り遊技状態でもないこと）が成立したことにもとづいて識別情報の可変表示を行い、可変表示の表示結果が特定表示結果（例えば、大当り図柄）になったときに遊技者にとって有利な特定遊技状態（例えば、大当り遊技状態）に制御する遊技機であって、遊技媒体が始動領域を通過したときに、可変表示の表示結果を特定表示結果とするか否かを決定するための数値データ（例えば、大当り決定用乱数）を抽出する数値データ抽出手段（例えば、遊技制御用マイクロコンピュータ５６０において、ステップＳ２１５Ａ，Ｓ２１５Ｂの処理を実行する部分）と、遊技媒体が始動領域を通過したが開始条件が成立していない識別情報の可変表示について、所定の上限数（例えば、４）を限度に、数値データ抽出手段により抽出された数値データを保留記憶として記憶する保留記憶手段（例えば、第１保留記憶バッファ、第２保留記憶バッファ）と、保留記憶の数に応じた保留表示を表示部（例えば、演出表示装置）に表示する保留表示手段（例えば、演出制御用マイクロコンピュータ１００において、ステップＳ６００６，Ｓ６００８，Ｓ６０１６，Ｓ６０１７の処理を実行する部分）と、識別情報の可変表示を開始するときに、当該可変表示に対応する保留表示を可変表示対応保留表示として所定領域（例えば、保留ボックス９Ｆ）に表示する可変表示対応保留表示手段（例えば、演出制御用マイクロコンピュータ１００において、ステップＳ８１８の処理を実行する部分）と、当該可変表示の実行中に、可変表示の表示結果が特定表示結果になるか否かに応じて、所定領域に表示されている可変表示対応保留表示の態様を特定態様（例えば、「赤」）に変化させる保留表示変化手段（例えば、演出制御用マイクロコンピュータ１００において、ステップＳ８４４，Ｓ８４５，Ｓ８４６，Ｓ８４７の処理を実行する部分）とを備え、保留表示変化手段は、可変表示の表示結果が特定表示結果になるか否かに応じて、複数のタイミングのうちいずれのタイミングで特定態様に変化させるかの割合を異ならせる（図３１参照：例えば、「リーチ演出中に実行」を含むパターンに割り当てられている判定値数は、大当りの場合の方が、スーパーリーチはずれの場合よりも多い）ことを特徴とする。
そのような構成によれば、遊技の興趣をより向上させることができる。